(57)【要約】      （修正有）【課題】極めて公平であり、刺激性も極めて高い遊戯装置の提供。【解決手段】装置本体１は、環状フレーム１１内に基板１２が設けてあり、前記基板の上面には曲がった競走道１４を仕切るための仕切具１３が設けてあり、且つ前記基板での競走道には傾斜孔１５が多数に開設してあり、色付き玉２は、特定の色を持ち重量が軽い玉であり、送風装置は、装置本体に取り付けられ、基板に開設された傾斜孔からエアを送出させ、競走道での色付き玉を動かせ、止め装置は、競走道の起点に取り付けられ、色付き玉を一旦に止め、遊戯が始める時点で色付き玉を放出し、識別装置は、競走道の終点に取り付けられ、先に到着した複数の色付き玉の色を識別し、前記表示装置は、識別装置により先に到着した複数の色付き玉の色を表示する。【選択図】図３
0003113091.tif 000002
【実用新案登録請求の範囲】
【請求項１】
装置本体と、色付き玉と、送風装置と、止め装置と、識別装置と、表示装置とを含む遊戯装置において、
前記装置本体は、環状フレーム内に基板を設け、前記基板の上面には曲がった競走道を仕切るための仕切具を設け、且つ前記基板での競走道には傾斜孔を多数開設し、
前記色付き玉は、特定の色を持ち重量が軽い玉であり、
前記送風装置を、装置本体に取り付け、基板に開設した傾斜孔からエアを送出し、競走道での色付き玉を動かし、
前記止め装置は、競走道の起点に取り付け、色付き玉を一旦止め、遊戯が始まる時点で色付き玉を放出し、
前記識別装置は、競走道の終点に取り付け、先に到着した複数の色付き玉の色を識別し、
前記表示装置は、識別装置により先に到着した複数の色付き玉の色を表示することを特徴とする、
遊戯装置。
【請求項２】
前記仕切具は導電材料で作製されたものであることを特徴とする、
請求項１に記載の遊戯装置。
【請求項３】
前記止め装置は、二つの隣接する仕切具の間に一つの除け板が横に設けてあり、
且つ前記除け板の軸部の一端には捩じりバネと揺れブロックとが順序に嵌め設けてあり、
前記捩じりバネの両端は仕切具と揺れブロックとにそれぞれ固定され、
また、前記揺れブロックの下方に対応してモータの出力軸に固定された偏心ブロックが設けてあり、
前記偏心ブロックの外周には揺れブロックの周縁に当接する円弧形凸部が形成してあり、
また、前記偏心ブロックの一側には欠け口部が立設してあり、
前記欠け口部により、偏心ブロックがモータに駆動されて回転し変位するときに揺れブロックが欠け口部に対応して嵌め込むことができ、
また、偏心ブロックの近傍には一つのリミットスイッチが設けてあり、
前記リミットスイッチは偏心ブロックの円弧形凸部と当接することが可能であることを特徴とする、
請求項１に記載の遊戯装置。
【請求項４】
競走道の終点に近接する箇所では狭道を形成し、
底側には電磁弁を取付け、
遊戯が終了した時点で、前記電磁弁の弁棒が上へ突出し狭道内の色付き玉を止めることを特徴とする、
請求項１に記載の遊戯装置。
【請求項５】
前記識別装置は、競走道の終点に近接する箇所に狭道を形成し、
前記狭道の両側には色センサーが取付けてあり、
前記色センサーと制御回路とにより、先に到着した複数の色付き玉の色を識別し、
その結果を表示装置で表示することを特徴とする、
請求項１に記載の遊戯装置。
【請求項６】
前記識別装置は、競走道の終点に近接する箇所に狭道を形成し、
狭道の上方には先に到着した複数の色付き玉を撮影するための撮影機を取付け、
その結果を表示装置で表示することを特徴とする、
請求項１に記載の遊戯装置。
【請求項７】
前記表示装置は、遊戯装置の上方に指示ランプを取付け、
制御回路により、先に到着した複数の色付き玉の色に対応する指示ランプを点燈することを特徴とする、
請求項１に記載の遊戯装置。
【請求項８】
前記表示装置は、遊戯装置の四周には表示台を多数に設け、
撮影機によって撮影した映像を前記表示台にある表示用スクリーンで放映することを特徴とする、
請求項１に記載の遊戯装置。
【請求項９】
前記表示台にある表示用スクリーンはタッチパネルであり、
使用者は、先に到着する色付き玉の色を予想して入力し、又は賭けようとする点数を入力することができることを特徴とする、
請求項８に記載の遊戯装置。
【請求項１０】
前記基板の上方にある競走道には衝突ブロックが設けてあることを特徴とする、
請求項１に記載の遊戯装置。
【請求項１１】
更に玉止め用障碍を有し、
前記玉止め用障碍は、基板の上面の競走道の上にはカバーを取付け、色付き玉は前記カバーの一端から前記カバー内に進入することができ、
前記基板の底側には制御回路に制御される電磁弁を取付け、
前記電磁弁の弁棒は、基板に突出し、前記カバーの他端に位置し、
色付き玉が前記カバーから脱出することを防止することを特徴とする、
請求項１に記載の遊戯装置。
【請求項１２】
更に競走道の終点の直前に設けた幅縮小区を有し、
前記幅縮小区は、基板の底側には制御回路に制御されるモータを取付け、
前記モータの駆動軸は基板の上側に突出し、
前記駆動軸に能動輪を設置し、
基板の上側には受動輪を偏心に取付け、
前記能動輪と受動輪とにはタイミングベルトが巻いて設けてあることを特徴とする、
請求項１に記載の遊戯装置。
【請求項１３】
遊戯装置の競走道の終点には狭道を形成し、
前記狭道の側壁には計数センサーを取付け、
前記計数センサーにより、狭道を順序に通過した色付き玉の数量を計数し、
制御回路によって色付き玉の総数量を計算することを特徴とする、
請求項１に記載の遊戯装置。
【請求項１４】
遊戯装置には減速機モータを設け、
前記減速機モータの出力軸によって駆動するギアがラックを持つ支持レバーを駆動し、
前記支持レバーの上端を環状フレームに固定することにより前記環状フレームを上下動することを特徴とする、
請求項１に記載の遊戯装置。
【請求項１５】
競走道の起点では回転自在な円盤を設け、
前記円盤の底部の周縁には、弾性体で構成された押やり組を少なくとも一対に設け、
前記円盤が回転している際に、前記押やり組が色付き玉を押やって回転することにより、
各色付き玉の起点に対する前後位置を変更することを特徴とする、
請求項１に記載の遊戯装置。
【考案の詳細な説明】
【技術分野】
【０００１】
本考案は、遊戯装置に係り、特に、送風装置によって競走道での多数の色付き玉を推進させ、色付き玉が推進されている際に、色付き玉は止められたり、分散されたり、停滞されたりするので、色付き玉の到着順序の変化性が高くなる。
競走した後に、識別装置によって先に到着した色付き玉の色が識別されて、結果を対応する表示装置で表示し、このとき、使用者は予想した色を競走の結果と比較し、当たった場合には、賭けた点数に対応する賞与が与えられる遊戯装置に関するものである。
【背景技術】
【０００２】
目下、国民の仕事での競争が激しくなるので、ストレスが大きくなり、だから、レジャー活動は不可欠である。レジャー活動については、ある国民は絵画や陶芸や閲読が好き、ある国民はスポーツや魚釣りなどが好きである。
【０００３】
出願人は斬新な遊戯装置を開発することにより、国民のレジャー活動の選択を多様化する。
【考案の開示】
【考案が解決しようとする課題】
【０００４】
本考案の主な目的は、送風装置によって競走道での多数の色付き玉を推進させ、色付き玉が推進されている際に、色付き玉は止められたり、分散されたり、停滞されたりするので、色付き玉の到着順序の変化性が高くなる。
競走した後に、識別装置によって先に到着した色付き玉の色が識別されて、結果を対応する表示装置で表示し、このとき、使用者は予想した色を競争の結果と比較し、当たった場合には、賭けた点数に対応する賞与が与えられる遊戯装置を提供する。
【課題を解決するための手段】
【０００５】
上記目的を達成するためになされた本願の考案は、装置本体と、色付き玉と、送風装置と、止め装置と、識別装置と、表示装置とを含む遊戯装置において、前記装置本体は、環状フレーム内に基板が設けてあり、前記基板の上面には曲がった競走道を仕切るための仕切具が設けてあり、且つ前記基板での競走道には傾斜孔が多数に開設してあり、前記色付き玉は、特定の色を持ち重量が軽い玉であり、前記送風装置は、装置本体に取り付けられ、基板に開設された傾斜孔からエアを送出させ、競走道での色付き玉を動かせ、前記止め装置は、競走道の起点に取り付けられ、色付き玉を一旦に止め、遊戯が始める時点で色付き玉を放出し、前記識別装置は、競走道の終点に取り付けられ、先に到着した複数の色付き玉の色を識別し、前記表示装置は、識別装置により先に到着した複数の色付き玉の色を表示することを特徴とする遊戯装置であることを要旨としている。
【０００６】
本願の考案では、前記仕切具は導電材料で作製されたものであることを特徴とする請求項１に記載の遊戯装置であることを要旨としている。
【０００７】
本願の考案では、前記止め装置は、二つの隣接する仕切具の間に一つの除け板が横に設けてあり、且つ前記除け板の軸部の一端には捩じりバネと揺れブロックとが順序に嵌め設けてあり、前記捩じりバネの両端は仕切具と揺れブロックとにそれぞれ固定され、また、前記揺れブロックの下方に対応してモータの出力軸に固定された偏心ブロックが設けてあり、前記偏心ブロックの外周には揺れブロックの周縁に当接する円弧形凸部が形成してあり、また、前記偏心ブロックの一側には欠け口部が立設してあり、前記欠け口部により、偏心ブロックがモータに駆動されて回転し変位するときに揺れブロックが欠け口部に対応して嵌め込まれることができ、また、偏心ブロックの近傍には一つのリミットスイッチが設けてあり、前記リミットスイッチは偏心ブロックの円弧形凸部と当接することが可能であることを特徴とする請求項１に記載の遊戯装置であることを要旨としている。
【０００８】
本願の考案では、競走道の終点に近接する箇所では狭道が形成してあり、底側には電磁弁が取付けてあり、遊戯が終了した時点で、前記電磁弁の弁棒が上へ突出し狭道内の色付き玉を止めることを特徴とする請求項１に記載の遊戯装置であることを要旨としている。
【０００９】
本願の考案では、前記識別装置は、競走道の終点に近接する箇所では狭道が形成してあり、前記狭道の両側には色センサーが取付けてあり、前記色センサーと制御回路とにより、先に到着した複数の色付き玉の色が識別され、その結果が表示装置で表示することを特徴とする請求項１に記載の遊戯装置であることを要旨としている。
【００１０】
本願の考案では、前記識別装置は、競走道の終点に近接する箇所では狭道が形成してあり、狭道の上方には先に到着した複数の色付き玉を撮影するための撮影機が取付けてあり、その結果が表示装置で表示することを特徴とする請求項１に記載の遊戯装置であることを要旨としている。
【００１１】
本願の考案では、前記表示装置は、遊戯装置の上方に指示ランプが取付けてあり、制御回路により、先に到着した複数の色付き玉の色に対応する指示ランプが点燈されることを特徴とする請求項１に記載の遊戯装置であることを要旨としている。
【００１２】
本願の考案では、前記表示装置は、遊戯装置の四周には表示台が多数に設けてあり、撮影機によって撮影した映像が前記表示台にある表示用スクリーンで放映することを特徴とする請求項１に記載の遊戯装置であることを要旨としている。
【００１３】
本願の考案では、前記表示台にある表示用スクリーンはタッチパネルであり、使用者は、先に到着する色付き玉の色を予想して入力し、又は賭けようとする点数を入力することができることを特徴とする請求項８に記載の遊戯装置であることを要旨としている。
【００１４】
本願の考案では、前記基板の上方にある競走道には衝突ブロックが設けてあることを特徴とする請求項１に記載の遊戯装置であることを要旨としている。
【００１５】
本願の考案では、更に玉止め用障碍を有し、前記玉止め用障碍は、基板の上面の競走道の上にはカバーが取付けてあり、色付き玉は前記カバーの一端から前記カバー内に進入することができ、前記基板の底側には制御回路に制御される電磁弁が取付けてあり、前記電磁弁の弁棒は、基板に突出し、前記カバーの他端に位置し、色付き玉が前記カバーから脱出することを防止することを特徴とする請求項１に記載の遊戯装置であることを要旨としている。
【００１６】
本願の考案では、更に競走道の終点の直前に設けた幅縮小区を有し、前記幅縮小区は、基板の底側には制御回路に制御されるモータが取付けてあり、前記モータの駆動軸は基板の上側に突出し、前記駆動軸に能動輪が設置され、基板の上側には受動輪が偏心に取付けられ、前記能動輪と受動輪とにはタイミングベルトが巻いて設けてあることを特徴とする請求項１に記載の遊戯装置であることを要旨としている。
【００１７】
本願の考案では、遊戯装置の競走道の終点には狭道が形成され、前記狭道の側壁には計数センサーが取付けてあり、前記計数センサーにより、狭道を順序に通過した色付き玉の数量が計数され、制御回路によって色付き玉の総数量を計算することを特徴とする請求項１に記載の遊戯装置であることを要旨としている。
【００１８】
本願の考案では、遊戯装置には減速機モータが設けてあり、前記減速機モータの出力軸によって駆動されるギアがラックを持つ支持レバーを駆動し、前記支持レバーの上端が環状フレームに固定されることにより前記環状フレームを上下動にすることを特徴とする請求項１に記載の遊戯装置であることを要旨としている。
【００１９】
本願の考案では、競走道の起点では回転自在な円盤が設けてあり、前記円盤の底部の周縁には、弾性体で構成された押やり組が少なくとも一対に設けてあり、前記円盤が回転している際に、前記押やり組が色付き玉を押やって回転させることにより、各色付き玉の起点に対する前後位置が変更されることを特徴とする請求項１に記載の遊戯装置であることを要旨としている。
【考案の効果】
【００２０】
本考案に係る遊戯装置によれば、次のような効果がある。
（イ）基板にある傾斜孔と、底側にある送風装置とにより、前へ流動する気流が発生され、競争道での多数の色付き玉が快速に移動できる。
【００２１】
（ロ）ある色付き玉が玉止め用障碍のカバー内に進入して止められ、遊戯が終了した後に前記色付き玉が釈放され、これにより、色付き玉の競走の変化性が向上する。
【００２２】
（ハ）競走道の終点での幅縮小区には係り防止装置が設けてあることにより、色付き玉が係られることを防止できる。
【００２３】
（二）遊戯が終了する時点で、狭道の両側に設けられた色センサーと制御回路とにより先に到着した複数の色付き玉の色が感知されて、感知した色に対応する表示ランプが点燈され、これにより、使用者は先に到着した複数の色付き玉の色を容易に把握することができる。
【００２４】
（ホ）遊戯が終了する時点で、狭道の上側にある撮影機によって先に到着した複数の色付き玉が撮影され、制御回路によって撮影された映像が表示用スクリーンで放映され、これにより、使用者は先に到着した複数の色付き玉の色を容易に把握することができる。
【００２５】
（へ）狭道の側壁に計数センサーが取付けてあり、これにより、遊戯を再開する前に、狭道を通過した色付き玉の数量を感知して制御回路によって色付き玉の総数量を計数し、色付き玉の総数量は前回の遊戯が開始する前の数量と同一であれば、遊戯を再開することが可能になる。そうでないと、制御回路は表示台でエラー信号を表示する。
【００２６】
（ト）遊戯開始の前に、使用者は先に到着する複数の色付き玉の色を予想して、表示スクリーンのタッチパネルにより、予想した色を入力して賭けようとする点数を入力して、入力した予想色を競走の結果と比較し、当たった場合には、賭けた点数に対応する賞与が与えられる。
【００２７】
（チ）本遊戯装置はエアで色付き玉を移動し、競走道の途中で様々な障碍が設けてあるので、単純に確率によって勝負が決まり、且つ皆が色付き玉の競走の過程を監視できるので、遊戯は、極めて公平であり、刺激性も極めて高い。
【考案を実施するための最良の形態】
【００２８】
以下、添付図面を参照して本考案の好適な実施の形態を詳細に説明する。
【００２９】
まず、図１乃至図５を参照する。本考案に係る遊戯装置は、装置本体１と、色付き玉２と、送風装置３と、止め装置４と、衝突障害５と、玉止め用障碍６と、係り防止装置７と、識別装置８と、表示装置９とを含む。
【００３０】
前記装置本体１は、環状フレーム１１内に基板１２が設けてあり、前記基板１２の上面には曲がった競走道１４を仕切るための仕切具１３が設けてある。
且つ前記基板１２での競走道には傾斜孔１５が多数に開設してある。
また、競走道１４の起点１４４では回転自在な円盤１９が設けてあり、前記円盤１９の底部の周縁には少なくとも弾性体１９で作製された一対の押やり組１９１が設けてあり、二つの前記押やり組１９１の間の距離は色付き玉２をちょうど収容できる。
前記円盤１９が回転している際に、前記押やり組１９１が色付き玉２を押やって回転させることにより、各色付き玉２の起点に対する前後位置が変更され、また、前記環状フレーム１１が透明カバー１６にカバーされる。
【００３１】
前記色付き玉２は、特定の色を持ち重量が軽い玉である。
【００３２】
前記送風装置３は、図６と図７に示すように、色付き玉２を競走道１４で前へ駆動するための動力源として前記装置本体１の底側に複数に取付けてあり、主に送風機３１で構成される。
制御回路１０に制御されて基板２に対して送風し、エアが傾斜孔１５を通過し上へ送出され、これにより、競走道１４での色付き玉２を動かせる。
【００３３】
前記止め装置４は、図８乃至図１１に示すように、競走道１４の起点１４４に取り付けられ、色付き玉２を一旦に止め、遊戯が始める時点で色付き玉２を放出し、また、二つの隣接する仕切具１３の間に一つの除け板４１が横に設けてある。
且つ前記除け板４１の軸部４１１の一端には捩じりバネ４２と揺れブロック４３とが順序に嵌め設けてあり、前記捩じりバネ４２の両端は仕切具１３と揺れブロック４３とにそれぞれ固定される。
また、前記揺れブロック４３の下方に対応してモータ４４の出力軸４４１に固定された偏心ブロック４５が設けてあり、前記偏心ブロック４５の外周には揺れブロック４３の周縁に当接する円弧形凸部４５１が形成してある。
また、前記偏心ブロック４５の一側には欠け口部４５２が立設してあり、前記欠け口部４５２により、偏心ブロック４５がモータ４４に駆動されて回転し変位するときに揺れブロック４３が欠け口部４５２に対応して嵌め込まれることができる。
また、偏心ブロック４５の近傍には一つのリミットスイッチ４６が設けてあり、前記リミットスイッチ４６は偏心ブロック４５の円弧形凸部４５１と当接することが可能である。
遊戯が開始する前に、偏心ブロック４５は円弧形凸部４５１で揺れブロック４３を押さえて除け板４１を連動し、除け板４１が降下した状態になって色付き玉２を止める。
また、遊戯が開始するときに、制御回路１０はモータ４４を制御して偏心ブロック４５を回転させ、揺れブロック４３は、何時も偏心ブロック４５に寄り、且つ偏心ブロック４５の回転に従って変位する。
揺れブロック４３が偏心ブロック４５の円弧形凸部４５１から外れるときに、除け板４１が捩じりバネ４２に駆動されて瞬間に開状態にして、予定時間を経過した後、制御回路１０がモータ４４を駆動し回転させることにより、揺れブロック４３を押さえると共に、除け板４１を連動して降下させる。
偏心ブロック４５の円弧形凸部４５１がリミットスイッチ４４に接触した後に、この信号が制御回路１０に転送して、制御回路１０がモータ４４を停止する。
【００３４】
前記衝突用障碍５は、図１２に示すように、基板１２の上面での競走道１４に取付けられ、制御回路１０の制御によって回転する衝突ブロック５１である。
【００３５】
前記玉止め用障碍６は、図１３に示すように、基板１２の上面での競走道１４にカバー６１がカバーしてあり、色付き玉２が前記カバー６１の一端から前記カバー６１内に進入することができる。
前記基板１２の底側には制御回路１０に制御される電磁弁６２が取付けてあり、前記電磁弁６２の弁棒６２１は、基板１２に突出し、前記カバー６１の他端に位置し、色付き玉２が前記カバー６１から脱出することを防止する。
また、図３に示すように、仕切具１３には色付き玉２が衝突する案内用障碍６３が設けてあり、これにより、色付き玉２のカバー６１に進入する確率が向上する。
【００３６】
前記係り防止装置７は、図１４に示すように、競走道１４の終点の直前の幅縮小区１４１に取付けられ、基板１２の底側には制御回路１０に制御されるモータ７１が取付けてある。
モータ７１の駆動軸７１１が基板１２の上面に突出し、且つ駆動軸７１１に能動輪７２が設けてある。
基板１２の上面に受動輪７３が偏心に取付けられ、前記能動輪７２と受動輪７３とにはタイミングベルト７４が巻いて設けてあり、モータ７１によって能動輪７２を駆動すると、タイミングベルト７４が回転になり、受動輪７３が偏心に取付けられる。
タイミングベルト７４が回転している際に振動が発生して色付き玉２を押やることにより、競走道の終点の直前の幅縮小区１４１に色付き玉２が係られることを防止できる。
【００３７】
前記識別装置は、図１５と図１６に示すように、競走道１４の終点に近接する箇所では狭道１４２が形成してある。
基板１２の底側には制御回路１０に制御される電磁弁８１が取付けてあり、遊戯が終了した時点で、前記電磁弁８１の弁棒８１１が上へ突出し狭道１４２内の色付き玉２を止め、前記狭道１４２の両側には色センサー８２が取付けてある。
前記色センサー８２と制御回路１０とにより、先に到着した複数の色付き玉２の色が識別され、その結果が表示装置９で表示し、または、狭道１４２の上方には先に到着した複数の色付き玉２を撮影するための撮影機８３が取付けてある。
その結果が表示装置９で表示し、または、制御回路１０は内部にあるプログラムを利用して撮影機８３で撮った映像により、先に到着した複数の色付き玉２の色を識別して、前記色センサー８２によって判別された色と比較し、これにより、誤判断を回避することができる。
【００３８】
前記表示装置は、図１乃至図３に示すように、装置本体１の仕切具１３の上方には複数の指示ランプ９１を取り付けるための装飾カバー１３１が設けてある。
制御回路１０により、先に到着した複数の色付き玉の色２に対応する指示ランプ９１が点燈される。
または、装置本体１の四周には表示台９２が多数に設けてあり、撮影機８３によって撮影した映像が制御回路１０に制御される前記表示台９２にある表示用スクリーン９２１で放映する。
且つ前記表示台９２にある表示用スクリーン９２１はタッチパネルであり、使用者はタッチパネルによって、先に到着する色付き玉２の色を予想して入力し、又は賭けようとする点数を入力することができる。
【００３９】
本遊戯装置は遊戯の時間と競走回数とを設定でき、最後に、先に到着する複数の色付き玉２の色を見て、予想した結果と比較して、当たった場合には、賭けた点数に対応する賞与が与えられる。
【００４０】
遊戯の前に、使用者は、表示台９２のタッチパネル式の表示スクリーン９２１により、先に到着する色付き玉２の色を予想して入力し、又は賭けようとする点数を入力して、制御回路１０はそれらのデータを読み取る。
また、制御回路１０は送風装置３によって基板１２の競走道１４に対して送風し、エアが傾斜孔１５から上へ送出され、だが、止め装置４の除け板４１により、色付き玉２が競走道１４の起点に止められる。
【００４１】
遊戯が開始する時点で、制御回路１０は止め装置４のモータ４４を制御して除け板４１を移動することにより、多数の色付き玉２が送風装置によるエアによって競走道１４で快速に移動する。
【００４２】
遊戯が開始したときに、色付き玉２は、衝突用障碍５の衝突ブロック５１に衝突し、又は回転している衝突ブロック５１に押やられて一度に後退し、又は玉止め用障碍６のカバー６１に進入して電磁弁６２の弁棒６２１に止められてカバー６１内に止められる。
また、色付き玉２が競走道１４の終点の幅縮小区１４１に通過する場合には、ある色付き玉２が係り防止装置７のタイミングベルト７４に押やられることにより、色付き玉２は幅縮小区１４１で係られることがない。
【００４３】
遊戯が終了する時点で、表示台９２の表示スクリーン９２１での時間表示はゼロになり、且つ制御回路１０により電磁弁８１の弁棒８１１が狭道１４２内で上へ突出して色付き玉２を止め、このとき、色付き玉２の到着順序が判定できる。
狭道１４２の上方に設置された撮影機８３は先に到着した複数の色付き玉２を撮影して映像を表示スクリーン９２１で放映し、これにより、使用者は先に到着した複数の色付き玉２を把握することができる。
且つ狭道１４２の両側に設置された色センサー８２により先に到着した複数の色付き玉２を識別することができる。
また、狭道１４２の上方には先に到着した複数の色付き玉２を撮影するための撮影機８３が取付けてあり、制御回路１０は内部にあるプログラムを利用して撮影機８３で撮った映像により、先に到着した複数の色付き玉２の色を識別して、その結果が前記色センサー８２によって判別された色と比較する。
これにより、誤判断を回避することができ、そして先に到着した複数の色付き玉２の色に対応する指示ランプ９１が点燈され、使用者は先に到着した複数の色付き玉２を把握することができる。
【００４４】
遊戯を再開しようとする場合には、制御回路１０の制御により、各電磁弁６２，８１の弁棒６２１，８１１が降下して、競走道１４の起点１４４で止め装置４の除け板４１が閉状態にすることにより、競走道１４に沿って狭道１４２を通過した色付き玉２が起点１４４で除け板４１に止められる。
且つ競走道１４の起点１４４では回転自在な円盤１９が設けてあり、前記円盤１９が回転している際に、押やり組１９１が色付き玉２を押やって回転させることにより、各色付き玉２の起点に対する前後位置が変更される。
【００４５】
また、図１５と図１６に示すように、狭道１４２の側壁には計数センサー８４が取付けてあり、前記計数センサー８４により、狭道１４２を順序に通過した色付き玉２の数量が計数され、制御回路１０によって色付き玉２の総数量を計算する。
色付き玉２の総数量は前回の遊戯が開始する前の数量と同一であれば、遊戯を再開することが可能になり、そうでないと、制御回路１０は表示台９２でエラー信号を表示する。
【００４６】
また、図６と図１７と図１８に示すように、装置本体１内に設置された回路と部品とを容易に保全するために、装置本体１の環状フレーム１１の底側に台座１７を取付けて環状フレーム１１と台座１７との間に昇降装置１８を取付けてもよい。
前記昇降装置１８は、装置本体１に減速機モータ１８１を設置することにより、減速機モータ１８１の出力軸に駆動されるギア１８２がラック１８３を持つ支持レバー１８４を駆動する。
支持レバー１８４の上端は環状フレーム１１に固定され、減速機モータ１８１がギア１８２と支持レバー１８４とを駆動することにより、前記環状フレームが上昇し又は降下する。
【００４７】
また、図２乃至図４に示すように、装置本体１の基板１２の上面での仕切具１３は、導電材料で作製されたものであり、色付き玉２と基板１２との摩擦による静電気を解消するためのものであり、そうすると、色付き玉２が静電気によって互いに吸引することを防止できる。
【図面の簡単な説明】
【００４８】
【図１】本考案の斜視図である。
【図２】本考案の一部の斜視図である。
【図３】本考案に係る遊戯装置の平面図である。
【図４】本考案に係る遊戯装置の一部の断面図である。
【図５】本考案に係る円盤の構造を示す平面図である。
【図６】本考案に係る遊戯装置の側面断面図である。
【図７】本考案に係る送風装置の概略図である。
【図８】本考案に係る止め装置の止め状態での正面図である。
【図９】本考案に係る止め装置の止め状態での側面図である。
【図１０】本考案に係る止め装置の開放状態での正面図である。
【図１１】本考案に係る止め装置の開放状態での側面図である。
【図１２】本考案に係る衝突装置の平面図である。
【図１３】本考案に係る玉止め用障碍の止め状態での概略図である。
【図１４】本考案に係る係り防止装置の平面図である。
【図１５】本考案に係る識別装置の平面図である。
【図１６】本考案に係る識別装置の側面図である。
【図１７】本考案に係る昇降装置の斜視図である。
【図１８】本考案に係る昇降装置の平面断面図である。
【符号の説明】
【００４９】
１        装置本体                １０      制御回路
１１      環状フレーム            １２      基板
１３      仕切具                  １３１    装飾カバー
１４      競走道                  １４１    幅縮小区
１４２    狭道                    １４４    起点
１５      傾斜孔                  １６      透明カバー
１７      台座                    １８      昇降装置
１８１    減速機モータ            １８２    ギア
１８３    ラック                  １８４    支持レバー
１９      円盤                    １９１    押やり組
１９２    弾性体                  ２        色付き玉
３        送風装置                ３１      送風機
４        止め装置                ４１      除け板
４２      捩じりバネ              ４３      揺れブロック
４４      モータ                  ４４１    出力軸
４５      偏心ブロック            ４５１    円弧形凸部
４５２    欠け口部                ４６      リミットスイッチ
５        衝突用障碍              ５１      衝突ブロック
６        玉止め用障碍            ６１      カバー
６２      電磁弁                  ６２１    弁棒
６３      案内用障碍              ７        係り防止装置
７１      モータ                  ７１１    駆動軸
７２      能動輪                  ７３      受動輪
７４      タイミングベルト        ７４１    ラック
８        識別装置                ８１      電磁弁
８１１    弁棒                    ８２      色センサー
８３      撮影機                  ８４      計量センサー
９        表示装置                ９１      指示ランプ
９２      表示台                  ９２１    表示用スクリーン
【図１】
0003113091.tif 000003
【図２】
0003113091.tif 000004
【図３】
0003113091.tif 000005
【図４】
0003113091.tif 000006
【図５】
0003113091.tif 000007
【図６】
0003113091.tif 000008
【図７】
0003113091.tif 000009
【図８】
0003113091.tif 000010
【図９】
0003113091.tif 000011
【図１０】
0003113091.tif 000012
【図１１】
0003113091.tif 000013
【図１２】
0003113091.tif 000014
【図１３】
0003113091.tif 000015
【図１４】
0003113091.tif 000016
【図１５】
0003113091.tif 000017
【図１６】
0003113091.tif 000018
【図１７】
0003113091.tif 000019
【図１８】
0003113091.tif 000020